(57)【要約】【課題】洗浄手段より食器に向けて洗浄水を噴射して食器を洗浄する食器洗い機において、複数個の洗浄手段への洗浄水の吐出経路を切り換え、同時に噴射する噴射口の数を減らして必要流量を抑え、節水、節電を実現しながら、食器を満遍なく洗うとともに、切換手段を複数個の洗浄手段の間に配置して、各々の洗浄手段から噴射する洗浄水の吐出圧力に強弱をつけることによって、運転経費が安価で、洗浄効率の高い食器洗い機を提供する。【解決手段】食器２等を入れる食器かご３を洗浄槽１に収容し、洗浄水を加圧する洗浄ポンプ７と、第１の洗浄手段１２ａ、第２の洗浄手段１２ｂ、第３の洗浄手段１２ｃとの間に、各洗浄手段への吐出経路を切り換える切換手段１４を設け、機器の動作を制御手段９により制御する。切換手段１４を、第１の洗浄手段１２ａ、第２の洗浄手段１２ｂ、第３の洗浄手段１２ｃの間に配置する。【選択図】　図１
2004129988.tif 000002
【特許請求の範囲】
【請求項１】
食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記複数個の洗浄手段の間に配置した食器洗い機。
【請求項２】
食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記複数個の洗浄手段から同一距離の位置に配置した食器洗い機。
【請求項３】
食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記複数個の洗浄手段から異なる距離の位置に配置した食器洗い機。
【請求項４】
食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記洗浄手段のいずれかの略直下に配置した食器洗い機。
【請求項５】
複数個の洗浄手段の内、少なくとも１つは回転しながら洗浄水を吐出する構成とした請求項１〜４のいずれか１項に記載の食器洗い機。
【請求項６】
複数個の洗浄手段の内、少なくとも１つは非回転式で、側方または斜め方向へ洗浄水を吐出する構成とした請求項１〜４のいずれか１項に記載の食器洗い機。
【発明の詳細な説明】
【０００１】
【発明の属する技術分野】
本発明は、洗浄手段より食器に向けて洗浄水を噴射して食器を洗浄する食器洗い機に関する。
【０００２】
【従来の技術】
近年、洗浄槽内で回転する洗浄手段から噴射される洗浄水によって食器かごに収容された食器を洗浄する食器洗い機が主流となっている。従来、この種の食器洗い機は図６に示すように構成していた。以下、その構成について説明する。
【０００３】
図６に示すように、洗浄槽１は前方に開口部を有するとともに、食器２を入れる食器かご３を前後方向に移動可能に支持している。洗浄槽１の前方には扉４を取り付けており、洗浄槽１の開口部を開閉するとともに、扉４を開いた場合、その上に食器かご３を引出し可能な構成としている。洗浄槽１の底部には洗浄水を噴射する第１の洗浄手段５ａおよび第２の洗浄手段５ｂを各々回転自在に設け、洗浄槽１の底部に設けた排水口６および洗浄槽１の下方に配置した洗浄ポンプ７と配管部８を介して接続している。洗浄ポンプ７をはじめとする各電装部品は制御手段９によって制御している。
【０００４】
洗浄槽１内の洗浄水はヒータ１０によって温水化され、洗浄ポンプ８にて排水口６から吸い込まれ、洗浄手段５ａおよび５ｂに圧送される。第１の洗浄手段５ａおよび第２の洗浄手段５ｂに設けた噴射口１１より勢いよく噴射される洗浄水によって、食器かご３にセットされた食器２を洗浄するように構成している（例えば、特許文献１参照）。
【０００５】
【特許文献１】
特開平５−３０５０５０号公報
【０００６】
【発明が解決しようとする課題】
このような従来の食器洗い機においては、制御手段９によって洗浄ポンプ７が動作すると、第１の洗浄手段５ａおよび第２の洗浄手段５ｂに同時に洗浄水が供給され、各々の洗浄手段５ａおよび５ｂが同時に回転しながら洗浄水を食器２に向って噴射する。
【０００７】
この構成の場合、食器かご３にセットされた食器２を満遍なく洗浄するためには、第１の洗浄手段５ａおよび第２の洗浄手段５ｂに多くの噴射口１１を設ける必要がある。また、個々の噴射口１１からの洗浄水の吐出圧力および吐出流量を十分に得ようとする場合、洗浄ポンプ７に供給する水量が多く必要となり、使用水量が多くなるとともに、水温上昇に要する消費電力量も多くなり、結果として運転経費が高くなってしまう。
【０００８】
本発明は上記課題を解決するもので、複数個の洗浄手段への洗浄水の吐出経路を切り換え、同時に噴射する噴射口の数を減らして必要流量を抑え、節水、節電を実現しながら、食器を満遍なく洗うとともに、切換手段を複数個の洗浄手段の間に配置して、各々の洗浄手段から噴射する洗浄水の吐出圧力に強弱をつけることによって、運転経費が安価で、洗浄効率の高い食器洗い機を提供することを目的としている。
【０００９】
【課題を解決するための手段】
本発明は上記目的を達成するために、食器等を入れる食器かごを洗浄槽に収容し、洗浄水を加圧する洗浄ポンプと複数個の洗浄手段との間に、各洗浄手段への吐出経路を切り換える切換手段を設け、機器の動作を制御手段により制御するよう構成し、切換手段を、複数個の洗浄手段の間に配置したものである。
【００１０】
これにより、複数個の洗浄手段への洗浄水の吐出経路を切り換え、同時に噴射する噴射口の数を減らして必要流量を抑え、節水、節電を実現しながら食器を満遍なく洗うことができるとともに、切換手段を複数個の洗浄手段の間に配置することにより、各々の洗浄手段から噴射する洗浄水の吐出圧力に強弱をつけることによって、運転経費が安価で、洗浄効率の高い食器洗い機を提供することができる。
【００１１】
【発明の実施の形態】
本発明の請求項１に記載の発明は、食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記複数個の洗浄手段の間に配置したものであり、複数個の洗浄手段への洗浄水の吐出経路を切り換え、同時に噴射する噴射口の数を減らして必要流量を抑え、節水、節電を実現しながら食器を満遍なく洗うことができるとともに、切換手段を複数個の洗浄手段の間に配置することによって、各々の洗浄手段に洗浄水が到達するまでの圧力損失を任意の配分とすることが可能になり、米粒等の比較的落ちにくい汚れの付着した茶碗等を洗浄対象とする洗浄手段と、ジュース等の比較的落ちやすい汚れの付着したコップ等を洗浄対象とする洗浄手段から噴射する洗浄水の吐出圧力に強弱をつけることができるため、運転経費が安価で、洗浄効率の高い食器洗い機を提供することができる。
【００１２】
請求項２に記載の発明は、食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記複数個の洗浄手段から同一距離の位置に配置したものであり、同時に噴射する噴射口の数を減らして必要流量を抑え、節水、節電を実現しながら食器を満遍なく洗うことができるとともに、切換手段を複数個の洗浄手段から同一距離の位置に配置して、各々の洗浄手段から噴射する洗浄水の水動力を均一にすることができるため、運転経費が安価で、食器のセット位置にかかわらず均等に洗浄できる食器洗い機を提供することができる。
【００１３】
請求項３に記載の発明は、食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記複数個の洗浄手段から異なる距離の位置に配置したものであり、同時に噴射する噴射口の数を減らして必要流量を抑え、節水、節電を実現しながら食器を満遍なく洗うことができるとともに、洗浄槽の下側における切換手段の配置の自由度が増すため、運転経費が安価で、比較的簡潔な構成の食器洗い機を提供することができる。
【００１４】
請求項４に記載の発明は、食器等を入れる食器かごと、この食器かごを収容する洗浄槽と、洗浄水を加圧する洗浄ポンプと、複数個の洗浄手段と、前記洗浄ポンプと各洗浄手段との間に設け各洗浄手段への吐出経路を切り換える切換手段と、機器の動作を制御する制御手段とを備え、前記切換手段を、前記洗浄手段のいずれかの略直下に配置したものであり、同時に噴射する噴射口の数を減らして必要流量を抑え、節水、節電を実現しながら食器を満遍なく洗うことができるとともに、切換手段の真上にある洗浄手段への吐出経路は洗浄水の圧力損失を最小に抑えることができるため、この洗浄手段から噴射する洗浄水の吐出圧力は最大にすることができ、運転経費が安価で、洗浄効率の高い食器洗い機を提供することができる。
【００１５】
請求項５に記載の発明は、上記請求項１〜４に記載の発明において、複数個の洗浄手段の内、少なくとも１つは回転しながら洗浄水を吐出する構成としたものであり、回転しながら洗浄水を吐出する洗浄手段は、より広範囲を洗浄することができるため、より洗浄効率の高い食器洗い機を提供することができる。
【００１６】
請求項６に記載の発明は、上記請求項１〜４に記載の発明において、複数個の洗浄手段の内、少なくとも１つは非回転式で、側方または斜め方向へ洗浄水を吐出する構成としたものであり、非回転式の洗浄手段は、より集中的に被洗浄物を洗浄することができるため、部分的に強力な洗浄力を有する食器洗い機を提供することができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、洗浄槽１は、底部に洗浄水を噴射する第１の洗浄手段（洗浄手段）１２ａおよび第２の洗浄手段（洗浄手段）１２ｂをそれぞれ回転自在に設け、洗浄槽１の後面に第３の洗浄手段（洗浄手段）１２ｃを設けている。これら第１の洗浄手段１２ａ、第２の洗浄手段１２ｂ、第３の洗浄手段１２ｃは、配管部１３を介して切換手段１４と連結している。
【００１９】
ここで、第１の洗浄手段１２ａおよび第２の洗浄手段１２ｂは回転しながら洗浄水を噴射し、第３の洗浄手段１３ｃは非回転式で側方または斜め方向へ洗浄水を吐出する構成としている。切換手段１４は、洗浄ポンプ７からの吐出水の吸込口１５と配管部１３への吐出口１６を有する外箱１７と切換弁１８とで構成しており、外箱１７の略中心に設けた軸受部１９と切換弁１８の軸部２０とを係合している。
【００２０】
この切換手段１４は、図２に示すように、第１の洗浄手段１２ａ、第２の洗浄手段１２ｂ、第３の洗浄手段１２ｃの間に配置し、第１の洗浄手段１２ａ、第２の洗浄手段１２ｂ、第３の洗浄手段１２ｃと、切換手段１４とを連結する配管部１３ａ、１３ｂ、１３ｃは同一長さで同一断面積としている。軸受部１９および軸部２０の係合面は、図３に示すように、鉛直面２１と回転傾斜面２２とで形成しており、洗浄ポンプ７の動作に応じて切換弁１８は回転し、配管部１３ａ、１３ｂ、１３ｃとの接続を切り換えるよう構成している。その他の構成は従来例と同じである。
【００２１】
上記構成において動作を説明する。洗浄ポンプ７が動作すると、切換弁１８が上昇し、配管部１３ａと吐出口１６を連通にし、第１の洗浄手段１２ａのみに洗浄水を供給する。つぎに、洗浄ポンプ７が停止すると、切換弁１８は回転傾斜面２２に沿って回転しながら下降し、再び洗浄ポンプ７が動作すると、鉛直面２１に沿って鉛直に上昇し、配管部１３ｂと吐出口１６を連通にし、第２の洗浄手段１２ｂのみに洗浄水を供給する。
【００２２】
このようにして、洗浄ポンプ７の動作によって第１の洗浄手段１２ａ、第２の洗浄手段１２ｂ、第３の洗浄手段１２ｃが順番に動作する。配管部１３ａ、１３ｂ、１３ｃは同一長さで同一断面積であるため、圧力損失は同一である。このため、各々の洗浄手段からの洗浄水はほぼ同一の水動力を持って食器２を洗浄することができる。したがって、食器２を食器かご３のどの位置にセットしても、同程度の洗浄能力を得ることができる。
【００２３】
また、切換弁１８によって洗浄水を噴射する第１の洗浄手段１２ａ、第２の洗浄手段１２ｂ、第３の洗浄手段１２ｃを順番に切り換えることにより、洗浄ポンプ７が動作しているときは、常に、第１の洗浄手段１２ａ、第２の洗浄手段１２ｂ、第３の洗浄手段１２ｃの内の１箇所しか洗浄水を噴射していないため、同時に噴射する噴射口の数を減らして、必要流量を抑え、節水、節電を実現できる。
【００２４】
また、第１の洗浄手段１２ａおよび第２の洗浄手段１２ｂは回転しながら洗浄水を噴射するため、より広い範囲の食器２を洗浄することができ、第３の洗浄手段１３ｃは固定状態で洗浄水を噴射するため、より集中的に食器２を洗浄できる。この３箇所の洗浄手段を順番に動作させることにより、食器３を満遍なく洗うことができる。このようにして、運転経費が安価で、食器３のセット位置にかかわらず均等に洗浄できる食器洗い機を提供することができる。
【００２５】
このように本実施例によれば、切換手段１４を、第１の洗浄手段１２ａ、第２の洗浄手段１２ｂ、第３の洗浄手段１２ｃの間に配置したことにより、節水、節電を実現しながら、食器２を満遍なく洗うことができるとともに、各々の洗浄手段から噴射する洗浄水の吐出圧力に強弱をつけることによって、運転経費が安価で、洗浄効率の高い食器洗い機を提供することができる。
【００２６】
また、切換手段１４を、第１の洗浄手段１２ａ、第２の洗浄手段１２ｂ、第３の洗浄手段１２ｃから同一距離の位置に配置したことにより、節水、節電を実現しながら、食器２を満遍なく洗うことができるとともに、各々の洗浄手段から噴射する洗浄水の吐出圧力を均一にすることができるため、運転経費が安価で、食器のセット位置にかかわらず均等に洗浄できる食器洗い機を提供することができる。
【００２７】
また、第１の洗浄手段１２ａおよび第２の洗浄手段１２ｂは回転しながら洗浄水を噴射するよう構成することにより、第１の洗浄手段１２ａおよび第２の洗浄手段１２ｂは回転しながら洗浄水を吐出することで、より広範囲を洗浄することができるため、より洗浄効率の高い食器洗い機を提供することができる。
【００２８】
また、第３の洗浄手段１３ｃは非回転式で、側方または斜め方向へ洗浄水を吐出する構成とすることにより、より集中的に被洗浄物を洗浄することができるため、部分的に強力な洗浄力を有する食器洗い機を提供することができる。
【００２９】
なお、本実施例では、切換弁１８を洗浄ポンプ７の動作によって回転させたが、別手段によって切り換えてもよく、同様の効果が得られる。また、洗浄手段１２および配管部１３の数や、同時に洗浄水を噴射する洗浄手段１２の数を変えても、同様の効果が得られる。
【００３０】
（実施例２）
図４に示すように、切換手段２３は、洗浄槽１の下側の隅に配置し、長さが異なる配管部２４ａ、２４ｂ、２４ｃを介して、第１の洗浄手段１２ａ、第２の洗浄手段１２ｂ、第３の洗浄手段１２ｃに洗浄水を圧送するよう構成している。他の構成は上記実施例１と同じである。
【００３１】
上記構成において動作を説明する。配管部２４ａ、２４ｂ、２４ｃは長さが異なるため、各々圧力損失が異なる。このため、第１の洗浄手段１２ａ、第２の洗浄手段１２ｂ、第３の洗浄手段１２ｃからの洗浄水は異なる水動力を持って食器２を洗浄する。
【００３２】
したがって、第１の洗浄手段１２ａ、第２の洗浄手段１２ｂ、第３の洗浄手段１２ｃの水動力に合わせて、食器かご３の食器２を配置するようにする。例えば、米粒等の比較的落ちにくい汚れの付着した茶碗等は、水動力の強い第２の洗浄手段１２ｂで洗浄するように配置し、ジュース等の比較的落ちやすい汚れの付着したコップ等は、水動力の弱い第１の洗浄手段１２ａで洗浄するよう配置する。
【００３３】
このように、噴射する洗浄水の吐出圧力に強弱をつけることができるため、より効率よく洗浄できるように設定することができる。また、切換手段２３を洗浄槽１の下側の隅に配置できるため、洗浄槽１の下側の部品のレイアウトの自由度を増すことができる。このようにして、運転経費が安価で、比較的簡潔な構成の食器洗い機を提供することができる。
【００３４】
なお、本実施例では、切換手段２３を洗浄槽１の下側の隅に配置したが、洗浄槽１の下部に配するその他の部品と効率よくレイアウトすることで、同様の効果が得られる。
【００３５】
（実施例３）
図５に示すように、切換手段２５は、第２の洗浄手段１２ｂの直下に配置し、第１の洗浄手段１２ａおよび第３の洗浄手段１２ｃへは、配管部２４ｂおよび２４ｃを介して洗浄水を圧送するよう構成している。他の構成は上記実施例１と同じである。
【００３６】
上記構成において動作を説明する。第２の洗浄手段１２ｂの直下に切換手段２５を配置しているので、第２の洗浄手段１２ｂへ圧送される洗浄水の圧力損失は最小限に抑えることができ、水動力は最大にすることができるため、第２の洗浄手段１２ｂによって洗浄する食器２は、残さいのこびりつき等の比較的きつい条件の汚染物が残っていたとしても、洗浄可能となる。
【００３７】
また、第２の洗浄手段２４ｂへの配管部が不要となるため、比較的簡易な形状で配管部を形成することができる。このようにして、運転経費および商品価格が安価で、洗浄効率の高い食器洗い機を提供することができる。
【００３８】
【発明の効果】
以上のように、本発明の請求項１に記載の発明によれば、複数個の洗浄手段と洗浄ポンプとの間に、各洗浄手段への吐出経路を切り換える切換手段を設け、切換手段を複数個の洗浄手段の間に配置することにより、節水、節電を実現しながら、食器を満遍なく洗うことができるとともに、各々の洗浄手段から噴射する洗浄水の吐出圧力に強弱をつけることによって、運転経費が安価で、洗浄効率の高い食器洗い機を提供することができる。
【図面の簡単な説明】
【図１】本発明の第１の実施例の食器洗い機の縦断面図
【図２】同食器洗い機の一部切欠した横断面図
【図３】同食器洗い機の要部拡大分解斜視図
【図４】本発明の第２の実施例の食器洗い機の一部切欠した横断面図
【図５】本発明の第３の実施例の食器洗い機の一部切欠した横断面図
【図６】従来の食器洗い機の縦断面図
【符号の説明】
１　洗浄槽
２　食器
３　食器かご
７　洗浄ポンプ
９　制御手段
１２ａ　第１の洗浄手段（洗浄手段）
１２ｂ　第２の洗浄手段（洗浄手段）
１２ｃ　第３の洗浄手段（洗浄手段）
１４　切換手段
【図１】
2004129988.tif 000003
【図２】
2004129988.tif 000004
【図３】
2004129988.tif 000005
【図４】
2004129988.tif 000006
【図５】
2004129988.tif 000007
【図６】
2004129988.tif 000008